(57)【要約】【課題】  取付が容易であり、かつ、広い範囲の変位を検出可能な変位計を提供する。【解決手段】  変位計１は、光ファイバ２と、光ファイバ２を保持する固定保持部３と、固定保持部３に対して移動自在であって光ファイバ２を保持する移動保持部４と、固定保持部３と移動保持部４との間の光ファイバ２の部分に設けられ、自らの屈曲状態に応じて検出用の光の態様を変化させるセンサ素子２ｈと、測定対象の変位の発生に伴って移動することにより、移動保持部４に力を加える可動部６とを含んで構成される変位検出部と、変位検出部を収納する配置盤１ｂと、移動保持部４に連なる光ファイバ２の一部を配置盤１ｂに固定する光ファイバ固定部５とを備える。  光ファイバ２は、光ファイバ固定部５と移動保持部４との間、且つ、第１方向Ｄ１と逆方向である第２方向Ｄ２にＵ字形の屈曲部２ａを有する。【選択図】図１
2017198628.tif 000002
【特許請求の範囲】
【請求項１】
検出用の光を入光する入光部及び前記検出用の光を受光する受光部に接続可能に構成された光ファイバと、
位置が固定され、かつ、該光ファイバの第１部分を保持する固定保持部と、
前記固定保持部に対して移動自在であって該光ファイバの第２部分を保持する移動保持部と、
前記固定保持部と前記移動保持部との間の該光ファイバの第３部分に設けられ、自らの屈曲状態に応じて前記検出用の光の態様を変化させるセンサ素子と、
測定対象と連結可能であって前記測定対象の変位の発生に伴って移動することにより、前記移動保持部に力を加える可動部とを含んで構成される変位検出部と、
変位検出部が取り付けられる配置盤と、
前記配置盤に取り付けられた前記変位検出部の前記移動保持部に連なる光ファイバの一部を配置盤に固定する光ファイバ固定部とを備え、
前記光ファイバは、前記光ファイバ固定部と前記移動保持部との間、且つ、前記移動保持部が移動する方向である第１方向と逆方向である第２方向にＵ字形の屈曲部を有することを特徴とする変位計。
【請求項２】
請求項１記載の変位計において、
前記屈曲部は、前記センサ素子と同一平面上に存在するように配置されていることを特徴とする変位計。
【請求項３】
検出用の光を入光する入光部及び前記検出用の光を受光する受光部に接続可能に構成された光ファイバと、
位置が固定され、かつ、該光ファイバの第１部分を保持する固定保持部と、
前記固定保持部に対して移動自在であって該光ファイバの第２部分を保持する移動保持部と、
前記固定保持部と前記移動保持部との間の該光ファイバの第３部分に設けられ、自らの屈曲状態に応じて前記検出用の光の態様を変化させるセンサ素子と、
測定対象と連結可能であって前記測定対象の変位の発生に伴って移動することにより、前記移動保持部に力を加える可動部とを含んで構成される変位検出部と、
変位検出部が取り付けられる配置盤と、
前記配置盤に取り付けられた前記変位検出部の前記移動保持部に連なる光ファイバの一部を配置盤に固定する光ファイバ固定部と、
前記移動保持部を前記移動保持部が移動する方向である第１方向と逆方向である第２方向に付勢するバネとを備えることを特徴とする変位計。
【請求項４】
請求項３記載の変位計において、
前記バネは、前記測定対象が所定の変位をした場合において前記移動保持部の移動量が前記光ファイバの破損を回避できる移動量以内となるようなバネ定数を有することを特徴とする変位計。
【発明の詳細な説明】
【技術分野】
【０００１】
本発明は、変位計に関する。
【背景技術】
【０００２】
従来、コアとクラッドからなる光ファイバである本線体と、当該光ファイバ本線体のコアとコア径が異なるコアを有した前記光ファイバセンサ本線体よりも長さが短い光ファイバである光センサ素子とを備えたセンサ用光ファイバが知られている（特許文献１参照）。
【０００３】
特許文献１の本線体と光センサ素子との間の界面における光のリークによるレーリ散乱光を測定することにより、本線体の歪み等を検出することが出来る。
【０００４】
また、特許文献２には、このようなセンサ用光ファイバのＯＴＤＲ（Ｏｐｔｉｃａｌ  Ｔｉｍｅ−Ｄｏｍａｉｎ  Ｒｅｆｌｅｃｔｏｍｅｔｅｒ）に接続された側の一部を保持する固定保持部と、当該固定保持部と所定の距離をおいて当該固定保持部に移動可能に配置され、光センサ素子を中心として前記一部と線対称の位置にあるセンサ用光ファイバの他部を保持する移動保持部とを有するセンサ用光ファイバが提案されている。
【０００５】
このセンサ用光ファイバは、移動保持部が固定保持部に接近するなど、移動保持部がセンサ用光ファイバを保持する点と固定保持部が前記センサ用光ファイバを保持する点とを結ぶ方向と同一の方向に応力が印加されたとき、その応力に応じて光センサ素子を中心としてセンサ用光ファイバを屈曲させ、当該応力が解除されたとき、屈曲状態から復帰させる機構を有する。
【０００６】
このセンサ用光ファイバにおいては、移動保持部に連結された測定対象に歪みが生じると、移動保持部が固定保持部に接近して光センサ素子が屈曲し、センサ用光ファイバに光伝送の損失が生じる。換言すれば、センサ用光ファイバに接続されたＯＴＤＲでこの光伝送の損失を検出することにより、移動保持部に連結された測定対象の歪みを検出することが出来る。
【先行技術文献】
【特許文献】
【０００７】
【特許文献１】特許第３１８０９５９号公報
【特許文献２】特許第４３１０６０６号公報
【発明の概要】
【発明が解決しようとする課題】
【０００８】
近年、メンテナンス時の作業負荷の軽減のため、橋梁、トンネル及び大型建造物等の社会的インフラの歪みの自動検出に対する関心が高まっている。このような自動検出を行うに当たっては、容易に変位計を取り付けられることが重要である。
【０００９】
しかし、特許文献２の技術では、光センサ素子の姿勢を整えながら取付を行う必要があり、センサ用光ファイバの取付をする際の取付技術が必要となる。
【００１０】
これを解消するためには、光センサ素子を一定の姿勢で配置盤に配置して置くことが考えられる。このようにすれば、取付時に光センサ素子の姿勢を整える必要がなくなるので、容易に取り付けることが出来る。
【００１１】
しかし、光センサ素子を含むセンサ用光ファイバの一部または全部を収容するためには、配置盤にＯＴＤＲ等の入光手段及び受光手段を設け、それらとセンサ用光ファイバとを接続するか、外部の入光手段及び受光手段と接続するため、配置盤に入光端部及び受光端部を設ける必要がある。
【００１２】
この場合、測定対象の変位に応じて移動保持部が移動する場合に、その移動保持部に保持されたセンサ用光ファイバが引っ張られる。このような配置盤に光センサ素子を配置した変位計では、地震等のような場合には瞬間的に数十ｍｍに及ぶ大きな歪みが測定対象に生じる可能性があるが、移動保持部の移動量が多い場合、入光手段及び受光手段又は入光端部及び受光端部付近のセンサ用光ファイバの部分が大きく歪み、センサ用光ファイバが破損するおそれがあり、広い範囲の変位の検出が困難となる可能性がある。
【００１３】
このような問題に鑑み、本発明は取付が容易であり、かつ、広い範囲の変位を検出可能な変位計を提供することを目的とする。
【課題を解決するための手段】
【００１４】
本発明の変位計は、
検出用の光を入光する入光部及び前記検出用の光を受光する受光部に接続可能に構成された光ファイバと、
位置が固定され、かつ、該光ファイバの第１部分を保持する固定保持部と、
前記固定保持部に対して移動自在であって該光ファイバの第２部分を保持する移動保持部と、
前記固定保持部と前記移動保持部との間の該光ファイバの第３部分に設けられ、自らの屈曲状態に応じて前記検出用の光の態様を変化させるセンサ素子と、
測定対象と連結可能であって前記測定対象の変位の発生に伴って移動することにより、前記移動保持部に力を加える可動部とを含んで構成される変位検出部と、
変位検出部が取り付けられる配置盤と、
前記配置盤に取り付けられた前記変位検出部の前記移動保持部に連なる光ファイバの一部を配置盤に固定する光ファイバ固定部とを備え、
前記光ファイバは、前記光ファイバ固定部と前記移動保持部との間、且つ、前記移動保持部が移動する方向である第１方向と逆方向である第２方向にＵ字形の屈曲部を有することを特徴とする。
【００１５】
本発明の変位計によれば、配置盤内に光ファイバが移動保持部及び固定保持部により姿勢を保ちながら配置されているので、測定対象への取り付けが容易となる。
【００１６】
また、測定対象の歪みの発生に伴い可動部が移動すると、移動保持部が第１方向に移動する。移動保持部が第１方向に移動すると当該移動保持部と固定保持部との間の光ファイバが屈曲する。光ファイバの屈曲状態に応じて、センサ素子が光ファイバ内部を通過する検出用の光の態様を変化させる。換言すれば、光ファイバ内部を通過する検出用の光の態様の変化が測定されることにより、光ファイバの屈曲、ひいては測定対象の変位が検出される。
【００１７】
移動保持部が第１方向に移動すると、移動保持部に固定された光ファイバの部分が第１方向に引っ張られ、この光ファイバの部分に連なる移動保持部と光ファイバ固定部との間の光ファイバも第１方向に引っ張られる。ここで、光ファイバは、移動保持部と光ファイバ固定部との間、かつ、第１方向と逆方向である第２方向にＵ字形の屈曲部を有している。これにより、比較的大きく測定対象が変位したとしても、Ｕ字形の屈曲部が収縮することにより、光ファイバの移動が吸収される。
【００１８】
すなわち、移動保持部が大きく移動するような測定対象の変位が生じても、屈曲部により移動保持部の移動による光ファイバの移動が吸収される。これにより、測定対象の大きな変位が生じても光ファイバの破損が回避されるので、測定対象の変位の検出範囲を広くすることが出来る。
【００１９】
以上の通り、本発明の変位計によれば、測定箇所に取り付けが容易であり、かつ、広い範囲の変位の検出が可能となる。
【００２０】
当該構成の変位計において、
前記屈曲部は、前記センサ素子と同一平面上に存在するように配置されていることが好ましい。
【００２１】
当該構成の変位計によれば、屈曲部とセンサ素子とが同一平面上に存在するように配置されているので、変位計の厚みを薄くすることが出来る。
【００２２】
本発明の変位計は、
検出用の光を入光する入光部及び前記検出用の光を受光する受光部に接続可能に構成された光ファイバと、
位置が固定され、かつ、該光ファイバの第１部分を保持する固定保持部と、
前記固定保持部に対して移動自在であって該光ファイバの第２部分を保持する移動保持部と、
前記固定保持部と前記移動保持部との間の該光ファイバの第３部分に設けられ、自らの屈曲状態に応じて前記検出用の光の態様を変化させるセンサ素子と、
測定対象と連結可能であって前記測定対象の変位の発生に伴って移動することにより、前記移動保持部に力を加える可動部とを含んで構成される変位検出部と、
変位検出部が取り付けられる配置盤と、
前記配置盤に取り付けられた前記変位検出部の前記移動保持部に連なる光ファイバの一部を配置盤に固定する光ファイバ固定部と、
前記移動保持部を前記移動保持部が移動する方向である第１方向と逆方向である第２方向に付勢するバネとを備えることを特徴とする。
【００２３】
当該構成の変位計によれば、測定対象が歪み、可動部が第１方向へ移動した場合でも、バネにより、第１方向と逆方向である第２方向に移動保持部が付勢される。これにより、バネがない場合と比較して移動保持部の移動量が縮減されるので、移動保持部により引っ張られる光ファイバの移動量も縮減される。この結果、光ファイバ固定部付近の光ファイバの移動量が比較的小さくなるので、光ファイバ固定部付近の光ファイバの破損が防止されうる。換言すれば、測定対象の変位が大きくても、光ファイバ固定部付近の光ファイバの破損を回避しながら、測定対象の変位を検出できる。すなわち、当該構成の変位計によれば、光ファイバの破損を回避しながら測定対象の変位を検出できる範囲を広くすることが出来る。
【００２４】
当該構成の変位計において、前記バネは、前記測定対象が所定の変位をした場合において前記移動保持部の移動量が前記光ファイバの破損を回避できる移動量以内となるようなバネ定数を有することが好ましい。
【００２５】
当該構成の変位計によれば、バネから働く力により移動保持部の移動が抑制され、測定対象が所定の変位をした場合でも、移動保持部の移動量が光ファイバの破損を回避できる移動量以内となる。これにより、光ファイバの破損が回避されうる。
【図面の簡単な説明】
【００２６】
【図１】図１Ａは、可動部が初期位置にあるときの変位計の平面図で蓋の図示を省略した場合の図、図１Ｂは、可動部が第２位置にあるときの変位計の収容室の平面図で蓋の図示を省略した場合の図。
【図２】図２Ａは、図１ＢにおけるIIＡ−IIＡ断面図、図２Ｂは、図１ＡにおけるIIＢ−IIＢ断面図、図２Ｃは、図１ＢにおけるIIＣ−IIＣ断面図、図２Ｄは、可動部が第３位置にあるときの変位計の断面図、図２Ｅは、可動部が第４位置にあるときの変位計の断面図。
【図３】図３Ａは、光ファイバ出入口と固定保持部との間及び移動保持部と光ファイバ出入口との間における光ファイバの断面図、図３Ｂは、固定保持部と移動保持部との間の光ファイバの断面図、図３Ｃは、センサ素子を含む光ファイバの断面図。
【図４】図４Ａは、固定保持部の右側面図、図４Ｂは、固定保持部と移動保持部と光ファイバとの配置を示す平面図、図４Ｃは、蓋部を装着する前の固定保持部と移動保持部と光ファイバとの配置を示す平面図、図４Ｄは、移動保持部の左側面図。
【発明を実施するための形態】
【００２７】
図１Ａ〜図４Ｄを参照して、本発明の一の実施形態を説明する。
【００２８】
（変位計の構成）
変位計１は、図１Ａ、図１Ｂ及び図２Ａ〜図２Ｅに示されるように、蓋１ａと、収容室１ｂとを備える。収容室１ｂが本発明の「配置盤」に相当する。
【００２９】
蓋１ａは、収容室１ｂのボルト孔１ｃに螺合するボルト１ｄによって固定されている。
【００３０】
収容室１ｂには空間が設けられ、その空間には、図１Ａ、図１Ｂ及び図２Ａ〜図２Ｅに示されるように、光ファイバ２と、固定保持部３と、移動保持部４と、光ファイバ固定部５と、測定対象と連結され、測定対象の変位に伴って図１Ａの紙面左側に向かう方向である第１方向Ｄ１及び第１方向Ｄ１の逆方向である第２方向Ｄ２に移動可能な可動部６の一部と、初期位置ストッパ７と、過剰屈曲防止ストッパ８とが収容されている。
【００３１】
光ファイバ２は、図１Ａ及び図１Ｂに示すように、収容室１ｂの光ファイバ出入口１０から収容室１ｂの壁に沿ってほぼ１周し、固定保持部３に第１部分が保持され、移動保持部４に第２部分が保持され、光ファイバ固定部５に第４部分が保持され、第４部分から収容室１ｂの壁に沿って１周し、収容室１ｂの光ファイバ出入口１０に到達するように構成されている。
【００３２】
光ファイバ２のこの配置により、光ファイバ２の形状が無理な曲率となることが回避されるので、光伝送損失を低下させることが出来る。また、光ファイバ２を収容室１ｂの壁に沿って配置しているので、収容室１ｂ内部への光ファイバ２の設置を容易に行うことが出来る。
【００３３】
移動保持部４と光ファイバ固定部５との間の光ファイバ２は、第２方向Ｄ２に屈曲したＵ字形状の屈曲部２ａを形成する。
【００３４】
光ファイバ出入口１０から露出した光ファイバ２ｉは、ＯＴＤＲ９に接続されている。
【００３５】
光ファイバ２は、図３Ａ〜図３Ｃに示すように、各箇所においてその構成が異なっている。
【００３６】
光ファイバ２は、図３Ａに示すように、光ファイバ出入口１０と固定保持部３との間及び移動保持部４と光ファイバ出入口１０との間においては、コア２ｂとクラッド２ｃとを含む光伝搬部２ｄと、被覆部２ｅとを備える。
【００３７】
コア２ｂは、クラッド２ｃよりも屈折率が高い素材で構成されており、コア２ｂの周りがクラッド２ｃで覆われている。光は、コア２ｂの屈折率とクラッド２ｃ屈折率との相違による全反射によりコア２ｂ内を伝搬する。
【００３８】
コア２ｂ及びクラッド２ｃのそれぞれは、石英ガラスで形成されている。これに代えて、コア２ｂ及びクラッド２ｃのそれぞれがプラスチック等の屈折率が高い素材で形成されていてもよい。
【００３９】
被覆部２ｅは、光伝搬部２ｄを外圧から保護するため、光伝搬部２ｄを被覆している。被覆部２ｅは、例えばプラスチックで形成される。
【００４０】
光ファイバ２は、図３Ｂに示すように、固定保持部３と移動保持部４との間においては、コア２ｂとクラッド２ｃとを含む光伝搬部２ｄが露出している。
【００４１】
また、光ファイバ２は、固定保持部３と移動保持部４との間の中心部分である光ファイバ２の第３部分においては、図３Ｃに示すように、コア２ｂに接続され、かつ、コア２ｂと径が異なるコア２ｆと、コア２ｆを覆うクラッド２ｇとを備えるセンサ素子２ｈを形成する。センサ素子２ｈとしては、例えば、特許文献１に開示されているセンサ素子を採用しうる。
【００４２】
固定保持部３は、図２Ｂ〜図２Ｅ及び図４Ａに示すように、固定保持台３ａと、固定蓋部３ｂとを備える。
【００４３】
固定保持台３ａは、直方体状に形成され、図４Ａ〜図４Ｃに示すように、第１方向Ｄ１に対して前記センサ素子２ｈ側が前記センサ素子２ｈの屈曲方向Ｄ３側に所定の角度θだけ傾けられ、かつ、光ファイバ２が通る程度の第１ガイド溝３ｃを備える。
【００４４】
固定蓋部３ｂは、平板上に形成されている。
【００４５】
光ファイバ２を第１ガイド溝３ｃに通した状態で、収容室１ｂの盛り上がった部分１ｇに設けられたボルト孔（不図示）、固定保持台３ａに設けられたボルト孔３ｄ、３ｅにそれぞれ螺合するボルト１ｅ、１ｆによって、固定保持台３ａと固定蓋部３ｂとが収容室１ｂの盛り上がった部分１ｇに対して固定されている。
【００４６】
移動保持部４は、図２Ｂ〜図２Ｅ及び図４Ｄに示すように、移動保持台４ａと、移動保持板４ｂと、移動支持台４ｃとを備える。移動保持台４ａは、直方体状に形成され、図４Ｂ〜図４Ｄに示すように、第１方向Ｄ１に対してセンサ素子２ｈ側がセンサ素子２ｈの屈曲方向Ｄ３側に所定の角度θだけ傾けられ、かつ、光ファイバ２が通る程度の第２ガイド溝４ｄを備える。移動保持部４は、初期状態（可動部６に連結された測定対象が変位していない状態）で初期位置Ｐ１に位置する。
【００４７】
光ファイバ２を第２ガイド溝４ｄに通した状態で、移動保持台４ａ及び移動支持台４ｃに設けられたボルト孔４ｅ、４ｆに螺合するボルト４ｈ、４ｊによって、移動保持台４ａと移動保持板４ｂとが移動支持台４ｃに対して固定されている。
【００４８】
図４Ｃに示すように、光伝搬部２ｄは、ガイド溝３ｃ、４ｄのセンサ素子２ｈ側から所定距離ｈだけ露出するように構成されている。ここで、所定距離ｈは、可動部６の変位に伴い、光ファイバ２が屈曲しても、光伝搬部２ｄが固定保持部３又は移動保持部４に接触しないような距離である。
【００４９】
また、図１Ａ、図１Ｂ及び図２Ａに示すように、移動保持部４は、収容室１ｂに固定された姿勢支持板４ｉにより、移動時の姿勢が収容室１ｂに対して一定になるように調整される。
【００５０】
図１Ａ及び図１Ｂに示すように、光ファイバ固定部５は、例えば収容室１ｂに固定されるネジで構成される。光ファイバ固定部５は、収容室１ｂの壁及び床と自身とによって光ファイバ２の第４部分を挟むことより、光ファイバ２の第４部分の大きな変位を防止する。
【００５１】
可動部６は、例えば金属のロッドにより構成され、図１Ａ、図１Ｂ及び図２Ａ〜図２Ｅに示されるように、一端部が収容室１ｂから露出し、他端部が収容室１ｂに収容されている。可動部６は、収容室１ｂから露出した一端部に連結された測定対象の歪みの発生に伴って、第１方向Ｄ１に移動し、測定対象の歪みの解消に伴って、第２方向Ｄ２に移動するように構成されている。可動部６は、初期状態（可動部６に連結された測定対象が変位していない状態）で初期位置Ｒ１に位置する。
【００５２】
測定対象は、例えば、橋梁、トンネルの壁又は大型建造部の壁である。
【００５３】
可動部６は、図２Ｂ〜図２Ｅに示されるように、移動支持台４ｃに対して移動自在となるように、移動支持台４ｃに設けられた第１挿通孔４ｇに挿通される。また、可動部６は、収容室１ｂの盛り上がった部分１ｇに対して移動自在となるように、当該部分１ｇに設けられた第２挿通孔１ｈにも挿通されている。
【００５４】
可動部６は、移動支持台４ｃの両側に、第１バネ６ｂ及び第２バネ６ｃを備える。第１バネ６ｂ及び第２バネ６ｃは、それぞれコイルバネが採用されうる。これに代えて、圧縮バネ、又は引張バネが採用されてもよい。
【００５５】
第１バネ６ｂは、移動支持台４ｃからみて第２方向Ｄ２側に取り付けられている。第１バネ６ｂの一端部が可動部６の第２方向Ｄ２側に設けられた突起部６ｄに当接し、第１バネ６ｂの他端部が移動支持台４ｃに当接している。可動部６が第１方向Ｄ１に移動すると、突起部６ｄも第１方向Ｄ１に移動する。このとき、第１バネ６ｂの収縮により第１バネ６ｂの力が働き、移動支持台４ｃが第１方向Ｄ１へ付勢される。
【００５６】
第２バネ６ｃは、移動支持台４ｃからみて第１方向Ｄ１側に取り付けられている。第２バネ６ｃの一端部は収容室１ｂの盛り上がった部分１ｇに当接し、第２バネ６ｃの他端部が移動支持台４ｃに当接している。可動部６が第１方向Ｄ１に移動すると、第１バネ６ｂの力により、移動支持台４ｃも第１方向Ｄ１に移動する。このとき、第２バネ６ｃの収縮により第２バネ６ｃの力が働き、移動支持台４ｃが第１方向Ｄ１と逆方向である第２方向Ｄ２へ付勢される。
【００５７】
第２バネ６ｃの力が働くことにより、移動支持台４ｃの初期位置Ｐ１から第２位置Ｐ２までの変位量ｘ１が、可動部６の初期位置Ｒ１から第２位置Ｒ２までの変位量ｘ２よりも小さくなる。
【００５８】
具体的には、第１バネ６ｂのバネ定数をｎ及び第２バネ６ｃのバネ定数をｍとすると、移動支持台４ｃの変位量ｘ１は、以下の式（１）で表される。
【００５９】
【数１】
2017198628.tif 000003
【００６０】
なお、想定される測定対象の変位量の最大値と式（１）とから、光ファイバ２の破損が回避できる移動支持台４ｃの移動量を実現するのに適切な第１バネ６ｂ及び第２バネ６ｃを選択してもよい。
【００６１】
可動部６が第１方向Ｄ１に移動した場合、上記したような動きにより、図２Ｃに示すように、移動保持部４が第１方向Ｄ１へ移動する。
【００６２】
移動保持部４の移動に伴って、光ファイバ２が引っ張られ、光ファイバ２の屈曲部２ａが収縮する。光ファイバ２の屈曲部２ａが収縮することにより、移動保持部４の移動による光ファイバ２の引張りが吸収されるので、光ファイバ固定部５と光ファイバ出入口１０との間の光ファイバ２の部分はほとんど動かない。これにより、光ファイバ２の破損が回避される。
【００６３】
また、移動保持部４の移動に伴って、固定保持部３と移動保持部４との間の光ファイバ２が屈曲する。これにより、センサ素子２ｈも屈曲する。センサ素子２ｈが屈曲すると、光ファイバ２を伝送された光をセンサ素子２ｈの界面でリークさせることが出来るので、その屈曲状態に応じて伝送損失が生じる。これにより、ＯＴＤＲ９で受光される検出用の光（たとえばレーリ散乱光）の態様が変化する。
【００６４】
また、可動部６にかかる第１方向Ｄ１の力が解消すると、第１バネ６ｂ及び第２バネ６ｃにより、移動保持部４及び可動部６にそれぞれの初期位置Ｐ１、Ｒ１に復帰するための力（第２方向Ｄ２の力）が働き、移動保持部４及び可動部６が第２方向Ｄ２に移動してそれぞれの初期位置Ｐ１、Ｒ１に復帰する。
【００６５】
突起部６ｄは、例えばＥリングで構成され、可動部６の周方向に設けられた溝に嵌め込まれている。当該溝の第２方向Ｄ２に隣接して縮径部が設けられている。当該縮径部の径は、可動部６の大部分の径よりも小さく形成されている。この結果、移動保持部４が過剰屈曲防止ストッパ８に当接したのち、第１バネ６ｂから突起部６ｄに第２方向Ｄ２に大きな力が付加された場合、突起部６ｄが溝から外れ、縮径部の第２方向Ｄ２にスライドする。これにより、第１バネ６ｂに過剰な負荷がかかることが回避されうる。縮径部の第２方向Ｄ２にスライドした突起部６ｄは、可動部６が初期位置Ｒ１に復帰した際、収容室１ｂの壁に当接することにより、溝に嵌め込まれるようになるまで、可動部６に対して第１方向Ｄ１に移動する。
【００６６】
初期位置ストッパ７は、収容室１ｂと一体に構成され、移動保持部４からみて、第２方向Ｄ２に設けられている。初期位置ストッパ７は、図２Ｂに示すように、可動部６のそれぞれの初期位置Ｐ１、Ｒ１（測定対象が変位していない状態）で、移動保持部４に当接するような位置に配置されている。初期位置ストッパ７は、移動保持部４の初期位置を安定させるとともに、第２方向Ｄ２への移動保持部４の過剰な変位を防止する。
【００６７】
過剰屈曲防止ストッパ８は、収容室１ｂと一体に構成され、移動保持部４からみて第１方向Ｄ１に配置されている。過剰屈曲防止ストッパ８は、図２Ｄに示すように、移動保持部４が第１方向Ｄ１へ所定距離だけ移動したときに移動保持部４に当接可能なように設けられている。
【００６８】
移動保持部４が過剰屈曲防止ストッパ８に当接すると、移動保持部４は移動を停止する。たとえば、図２Ｅに示すように、可動部６が第３位置Ｒ３にあり、移動保持部４が第３位置Ｐ３で過剰屈曲防止ストッパ８に当接しているとき、さらに第１方向Ｄ１へ可動部６が変位量ｘ３だけ移動して第４位置Ｒ４に位置した場合であっても、第１バネ６ｂが収縮することにより可動部６の移動分を吸収するので、移動保持部４は第３位置Ｐ３のままである。これにより、固定保持部３と移動保持部４との間のセンサ素子２ｈの屈曲量が設計者の意図を超える事態が回避される。
【００６９】
ＯＴＤＲ９は、検査用の光を光ファイバ２に入射する入光部９ａと、レーリ散乱光等の検査用の光を受光する受光部９ｂと、受光した検査用の光に基づいて、測定対象の推定変位量ｅｘ２を推定する変位量推定部９ｃとを備える。ＯＴＤＲ９に代えて、変位計１は、ＬＥＤ  （ｌｉｇｈｔ−ｅｍｉｔｔｉｎｇ  ｄｉｏｄｅ、発光ダイオード）等の発光素子である入光部と、ＰＤ（Ｐｈｏｔｏｄｉｏｄｅ、フォトダイオード）等の受光素子である受光部と、受光した検査用の光に基づいて、測定対象の推定変位量を推定する変位量推定部とを備えてもよい。
【００７０】
変位量推定部９ｃは、受光部９ｂで受光されたレーリ散乱光等の検査用の光に基づいてセンサ素子２ｈの屈曲態様を推定し、当該屈曲態様から移動保持部４の推定移動量ｅｘ１を推定する。
【００７１】
続いて、変位量推定部９ｃは、当該推定移動量ｅｘ１から、測定対象の推定変位量ｅｘ２を下記式（２）により推定する。式（２）は式（１）から導き出される式であり、ｎは第１バネ６ｂのバネ定数、ｍは第２バネ６ｃのバネ定数である。
【００７２】
【数２】
2017198628.tif 000004
【００７３】
（作用効果）
変位計１によれば、配置盤（収容室１ｂ）内に光ファイバ２が移動保持部４及び固定保持部３により姿勢を保ちながら配置されているので、測定対象への取り付けが容易となる。
【００７４】
また、測定対象の歪みの発生に伴い可動部６が移動すると、移動保持部４が第１方向Ｄ１に移動する。移動保持部４が第１方向Ｄ１に移動すると移動保持部４と固定保持部３との間の光ファイバ２が屈曲する。光ファイバ２の屈曲状態に応じて、センサ素子２ｈが光ファイバ２内部を通過する検出用の光の態様を変化させる。換言すれば、光ファイバ２内部を通過する検出用の光の態様の変化が測定されることにより、光ファイバ２の屈曲、ひいては測定対象の変位が検出される。
【００７５】
移動保持部４が第１方向Ｄ１に移動すると、移動保持部４に固定された光ファイバ２の第２部分が第１方向Ｄ１に引っ張られ、この光ファイバの部分に連なる移動保持部４と光ファイバ固定部５との間の光ファイバ２（第４部分）も第１方向Ｄ１に引っ張られる。ここで、光ファイバ２は、移動保持部４と光ファイバ固定部５との間、かつ、第１方向Ｄ１と逆方向である第２方向Ｄ２にＵ字形の屈曲部２ａを有している。比較的大きく測定対象が変位したとしても、Ｕ字形の屈曲部２ａが収縮することにより、光ファイバ２の移動が吸収される。
【００７６】
すなわち、移動保持部４が大きく移動するような測定対象の変位が生じても、屈曲部２ａにより移動保持部４の移動による光ファイバ２の移動が吸収される。これにより、測定対象の大きな変位が生じても光ファイバ２の破損が回避されるので、測定対象の変位の検出範囲を広くすることが出来る。
【００７７】
以上の通り、変位計１によれば、測定箇所に取り付けが容易であり、かつ、広い範囲の変位の検出が可能となる。
【００７８】
また、変位計１によれば、屈曲部２ａとセンサ素子２ｈとが同一平面上に存在するように配置されているので、変位計１の厚みを薄くすることが出来る。
【００７９】
変位計１によれば、測定対象が歪み、可動部６が第１方向Ｄ１へ移動した場合でも、第２バネ６ｃにより、第１方向Ｄ１と逆方向である第２方向Ｄ２に移動保持部４が付勢される。これにより、第２バネ６ｃがない場合と比較して移動保持部４の移動量が縮減されるので、移動保持部４により引っ張られる光ファイバ２の移動量も縮減される。この結果、光ファイバ固定部５付近の光ファイバ２の移動量が比較的小さくなるので、光ファイバ固定部５付近の光ファイバ２の破損が防止されうる。換言すれば、測定対象の変位が大きくても、光ファイバ固定部５付近の光ファイバ２の破損を回避しながら、測定対象の変位を検出できる。すなわち、当該構成の変位計１によれば、光ファイバの破損を回避しながら測定対象の変位を検出できる範囲を広くすることが出来る。
【００８０】
また、当該構成の変位計１によれば、第２バネ６ｃから働く力により移動保持部４の移動が抑制され、測定対象が所定の変位をした場合でも、移動保持部４の移動量が光ファイバ２の破損を回避できる移動量以内となる。これにより、光ファイバ２の破損が回避されうる。
【符号の説明】
【００８１】
１‥変位計、１ａ‥蓋、１ｂ‥収容室、２‥光ファイバ、２ａ‥屈曲部、２ｈ‥センサ素子、３‥固定保持部、４‥移動保持部、５‥光ファイバ固定部、６‥可動部、６ｂ‥第１バネ、６ｃ‥第２バネ、７‥初期位置ストッパ、８‥過剰屈曲防止ストッパ、９‥ＯＴＤＲ、９ａ‥入光部、９ｂ‥受光部、９ｃ‥変位量推定部。
【図１】
2017198628.tif 000005
【図２】
2017198628.tif 000006
【図３】
2017198628.tif 000007
【図４】
2017198628.tif 000008